(57)【要約】【課題】組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とする。【解決手段】光軸方向である矢印Ａ方向両端に開口し、４つのレンズ１１１，１１２，１１３，１１４および３つの間隔環１２１，１２２，１２３を収容する中空が形成されたレンズ枠１３０が、内面１３１と外面１３２とに貫通して光軸方向である矢印Ａ方向に延びた溝１３４が形成されたものであり、その溝１３４内に、レンズ枠１３０内に収容された４つのレンズ１１１，１１２，１１３，１１４および３つの間隔環１２１，１２２，１２３を内面１３１に押し当てる押当部材１４０が入り込んでいる。【選択図】        図２
2012002945.tif 000002
【特許請求の範囲】
【請求項１】
複数のレンズと、
光軸方向両端に開口し、前記複数のレンズを収容する中空が形成され、内面と、外面とを有し、さらに前記内面と前記外面とに貫通して光軸方向に延びた溝が形成されたレンズ枠とを備え、
前記レンズ枠がさらに、前記内面の、前記溝に連続した位置に形成された、光軸回りの周回方向に該溝と合わせて半周以上を占めるとともに該光軸方向に延びた、前記中空に収容された前記複数のレンズとの間に隙間を有する凹部を備えたことを特徴とするレンズ鏡胴。
【請求項２】
前記レンズ枠が、セラミック製であることを特徴とする請求項１記載のレンズ鏡胴。
【請求項３】
前記溝を覆う覆い部材をさらに備えたことを特徴とする請求項１または２記載のレンズ鏡胴。
【請求項４】
前記溝内に入り込んで前記レンズ枠内に収容された前記複数のレンズを前記内面に押し当てる押当部材をさらに備えたことを特徴とする請求項１または２記載のレンズ鏡胴。
【請求項５】
前記複数のレンズにおける隣接するレンズ間に配置されて該複数のレンズとともに前記レンズ枠に接着固定された間隔環をさらに備えたことを特徴とする請求項１から４のうちのいずれか１項記載のレンズ鏡胴。
【請求項６】
光軸方向両端に開口し、複数のレンズを収容する中空が形成され、内面と、外面とを有し、さらに前記内面と前記外面とに貫通して光軸方向に延びた溝が形成されたレンズ枠であって、該内面の、前記溝に連続した位置に形成された、光軸回りの周回方向に該溝と合わせて半周以上を占めるとともに該光軸方向に延びた、前記中空に収容された前記複数のレンズとの間に隙間を有する凹部を有するレンズ枠の中に、該複数のレンズを前記溝寄りに偏芯させながら収容させ、
前記レンズ枠内に収容させた前記複数のレンズを、前記溝内に入り込む押当部材で前記内面に押し当てることを特徴とするレンズ鏡胴組立方法。
【請求項７】
前記押当部材で前記複数のレンズを前記内面に押し当てた状態のまま、該押当部材を前記レンズ枠に固定することを特徴とする請求項６記載のレンズ鏡胴組立方法。
【請求項８】
前記押当部材により前記内面に押し当てられた状態の前記複数のレンズを、前記レンズ枠に接着固定し、
前記押当部材を前記溝内から取り外すことを特徴とする請求項６記載のレンズ鏡胴組立方法。
【請求項９】
さらに、前記溝を覆い部材で覆うことを特徴とする請求項８記載のレンズ鏡胴組立方法。
【発明の詳細な説明】
【技術分野】
【０００１】
本発明は、レンズ鏡胴およびレンズ鏡胴組立方法に関する。
【背景技術】
【０００２】
従来より、カメラ付き携帯電話のカメラや車載用カメラなどには、一般に、レンズ枠に複数のレンズが収容されたレンズ鏡胴が用いられている。このレンズ鏡胴が搭載された機器は、温度や湿度が変化する環境で使用されることが多い。例えば車載用カメラは、高温下にさらされたり低温下にさらされたりする。そのため、このレンズ鏡胴は、非常に高い信頼性、すなわち、高温・低温、温度ショックなど、厳しい環境条件下での性能安定性や耐久性が必要とされている。
【０００３】
このようなレンズ鏡胴として、鏡筒内周面にある支持部とレンズの外周部との間にはんだを介在させ、鏡筒内を密封させる技術が提案されている（例えば、特許文献１参照。）。
【０００４】
また、このようなレンズ鏡胴として、鏡筒内周面の長手方向に所定間隔をおいて設けた支持部とレンズの外周部とを、酸素の共有結合により直接接合させる技術が提案されている（例えば、特許文献２参照。）。
【０００５】
また、近年、このようなレンズ鏡胴として、不要な光を遮光することができるとともに、通気性を有し、温度変化や湿度変化の影響をほとんど受けることのない、セラミック製のレンズ枠が注目を受けてきている（例えば、特許文献１，２，３参照。）。
【０００６】
また、所定の口径をなす開口絞りを画定すると共に、鏡筒の内周面に嵌入されかつ２つのレンズ間に介在させられて光軸方向の間隔を規定する環状スペーサを備えたレンズ鏡胴が提案されている（例えば、特許文献４参照。）。
【先行技術文献】
【特許文献】
【０００７】
【特許文献１】特開２００６−２８４９９１号公報
【特許文献２】特開２００６−２９２９２７号公報
【特許文献３】特開２００７−２３８４３０号公報
【特許文献４】特開２００７−２７９５５７号公報
【発明の概要】
【発明が解決しようとする課題】
【０００８】
レンズ枠に複数のレンズが収容されたレンズ鏡胴におけるレンズ外径とレンズ枠内径との間は、組立後にレンズの軸ズレなどによる光学性能の低下を起さないよう、一般に、２０μｍ以下のクリアランスとなるように公差管理されている。
【０００９】
例えば、レンズがガラス製でありレンズ枠がセラミック製である場合には、レンズをレンズ枠に組み込む際に、芯がずれたり傾いたりした姿勢でレンズが挿入されることに起因して、両者が擦れるおそれがある。そして、レンズ外径とレンズ枠内径との間のクリアランスが２０μｍ以下となるように公差管理されていることを考慮すると、そのような擦れを回避することは極めて困難である。ガラス製のレンズとセラミック製のレンズ枠は、双方ともに硬い材料であるため、両者が擦れると削れカスが発生し、組み立てられたレンズ鏡胴において、削れカスが光学性能に悪影響を与えることとなる。
【００１０】
本発明は、上記事情に鑑み、組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とするものである。
【課題を解決するための手段】
【００１１】
上記目的を達成する本発明のレンズ鏡胴は、
複数のレンズと、
光軸方向両端に開口し、上記複数のレンズを収容する中空が形成され、内面と、外面とを有し、さらに上記内面と上記外面とに貫通して光軸方向に延びた溝が形成されたレンズ枠とを備え、
上記レンズ枠がさらに、上記内面の、上記溝に連続した位置に形成された、光軸回りの周回方向にこの溝と合わせて半周以上を占めるとともにこの光軸方向に延びた、上記中空に収容された上記複数のレンズとの間に隙間を有する凹部を備えたことを特徴とする。
【００１２】
本発明のレンズ鏡胴は、光軸方向両端に開口し、複数のレンズを収容する中空が形成されたレンズ枠が、内面と外面とに貫通して光軸方向に延びた溝が形成されたものである。従って、本発明のレンズ鏡胴によれば、このレンズ鏡胴の組み立て時において、複数のレンズをその溝寄りに偏芯させながらレンズ枠内に収容させることができ、その溝を利用して、複数のレンズが内面に接した状態でそれら複数のレンズをレンズ枠に位置決めさせることができる。よって、本発明のレンズ鏡胴によれば、レンズ枠内に複数のレンズを収容させるときに、両者が擦れて削れカスが発生することが回避される。このため、削れカスに起因して光学性能が悪化することが防止される。
【００１３】
ここで、本発明のレンズ鏡胴は、上記レンズ枠が、セラミック製であることが好ましい。
【００１４】
このような好ましい形態によれば、削れカスに起因して光学性能が悪化することが防止されるとともに、レンズ枠が受ける温度変化や湿度変化の影響が抑えられる。
【００１５】
また、本発明のレンズ鏡胴は、上記溝を覆う覆い部材をさらに備えたことが好ましい。
【００１６】
このような好ましい形態によれば、遮光性および防塵性が確保される。
【００１７】
また、本発明のレンズ鏡胴は、上記溝内に入り込んで上記レンズ枠内に収容された上記複数のレンズを上記内面に押し当てる押当部材をさらに備えたことも好ましい形態である。
【００１８】
このような好ましい形態によれば、押当部材により、複数のレンズが内面に接した状態でそれら複数のレンズをレンズ枠に接着固定することができる。
【００１９】
また、本発明のレンズ鏡胴は、上記複数のレンズにおける隣接するレンズ間に配置されてそれら複数のレンズとともに上記レンズ枠に接着固定された間隔環をさらに備えたという形態も好ましい。
【００２０】
このような好ましい形態によれば、複数のレンズそれぞれの光軸方向の位置が確実に決められる。
【００２１】
また、上記目的を達成する本発明のレンズ鏡胴組立方法は、
光軸方向両端に開口し、複数のレンズを収容する中空が形成され、内面と、外面とを有し、さらに上記内面と上記外面とに貫通して光軸方向に延びた溝が形成されたレンズ枠であって、この内面の、上記溝に連続した位置に形成された、光軸回りの周回方向にこの溝と合わせて半周以上を占めるとともにこの光軸方向に延びた、上記中空に収容された上記複数のレンズとの間に隙間を有する凹部を有するレンズ枠の中に、この複数のレンズを上記溝寄りに偏芯させながら収容させ、
上記レンズ枠内に収容させた上記複数のレンズを、上記溝内に入り込む押当部材で上記内面に押し当てることを特徴とする。
【００２２】
本発明のレンズ鏡胴組立方法は、本発明のレンズ鏡胴を押当部材を用いて組み立てる組立方法である。そして、本発明のレンズ鏡胴組立方法は、複数のレンズを溝寄りに偏芯させながらレンズ枠内に収容させる組立方法である。従って、本発明のレンズ鏡胴によれば、レンズ枠内に複数のレンズを収容させるときに、両者が擦れて削れカスが発生することが回避される。このため、組み立てられたレンズ鏡胴において、削れカスに起因して光学性能が悪化することが防止される。
【００２３】
ここで、本発明のレンズ鏡胴組立方法は、上記押当部材で上記複数のレンズを上記内面に押し当てた状態のまま、その押当部材を上記レンズ枠に固定することが好ましい。
【００２４】
このような好ましい形態によれば、押当部材により、複数のレンズが内面に接した状態でそれら複数のレンズをレンズ枠に接着固定することができる。また、その押当部材により、遮光性および防塵性が確保される。
【００２５】
また、本発明のレンズ鏡胴組立方法は、
「上記押当部材により上記内面に押し当てられた状態の上記複数のレンズを、上記レンズ枠に接着固定し、
上記押当部材を上記溝内から取り外す」
ことも好ましい形態である。
【００２６】
このような好ましい形態によれば、押当部材を用いて、複数のレンズが内面に接した状態でそれら複数のレンズをレンズ枠に接着固定することができる。また、その押当部材を治具として使い回すことができる。
【００２７】
また、本発明のレンズ鏡胴組立方法のうちの上記押当部材を上記溝内から取り外す工程を有するレンズ鏡胴組立方法は、さらに、上記溝を覆い部材で覆うことが好ましい。
【００２８】
このような好ましい形態によれば、遮光性および防塵性が確保される。
【発明の効果】
【００２９】
本発明によれば、組み立て時に削れカスが発生することが回避され、組み立てられたレンズ鏡胴において、削れカスに起因して光学性能が悪化することが防止されたレンズ鏡胴およびレンズ鏡胴組立方法が提供される。
【図面の簡単な説明】
【００３０】
【図１】本発明のレンズ鏡胴の第１実施形態であるレンズ鏡胴を被写体側斜め上から見て示した斜視図である。
【図２】図１に示すレンズ鏡胴の光軸方向と平行な縦断面図でである。
【図３】図１に示すレンズ鏡胴の光軸方向と直角な縦断面図である。
【図４】本発明のレンズ鏡胴の第２実施形態であるレンズ鏡胴を被写体側斜め上から見て示した斜視図である。
【図５】本発明のレンズ鏡胴の第３実施形態であるレンズ鏡胴を被写体側斜め上から見て示した斜視図である。
【図６】レンズ枠内に、４つのレンズおよび３つの間隔環を収容させる工程を示す説明図である。
【図７】押当部材によりレンズ枠の内面に押し当てられた状態の４つのレンズおよび３つの間隔環をレンズ枠に接着固定する工程を示す説明図である。
【図８】図７に示す押当部材を溝内から取り外した後の状態を示す斜視図である。
【図９】レンズ枠内に収容させた４つのレンズおよび３つの間隔環を、溝内に入り込む押当部材で、レンズ枠の内面に押し当てる工程を示す説明図である。
【図１０】押当部材によりレンズ枠の内面に押し当てられた状態の４つのレンズおよび３つの間隔環をレンズ枠に接着固定する工程を示す説明図である。
【図１１】溝３３６が覆い部材で覆われた状態を示す斜視図である。
【発明を実施するための形態】
【００３１】
以下、図面を参照して本発明の実施の形態を説明する。
【００３２】
図１は、本発明のレンズ鏡胴の第１実施形態であるレンズ鏡胴１００を被写体側斜め上から見て示した斜視図である。また、図２は、図１に示すレンズ鏡胴１００の光軸方向と平行な縦断面図であり、図３は、図１に示すレンズ鏡胴１００の光軸方向と直角な縦断面図である。
【００３３】
図１〜図３に示すように、第１実施形態のレンズ鏡胴１００は、４つのレンズ１１１，１１２，１１３，１１４と、３つの間隔環１２１，１２２，１２３と、レンズ枠１３０と、押当部材１４０と、押さえ環１５０とを備えている。
【００３４】
４つのレンズ１１１，１１２，１１３，１１４は、ぞれぞれガラス製のレンズであって、結像側から第１レンズ１１１、第２レンズ１１２、第３レンズ１１３、第４レンズ１１４の順に、光軸が重なるよう配置されている。各レンズ１１１，１１２，１１３，１１４は円盤形であり、外径（側面）は研磨されておらず、＃１０００以下のスリ面とされている。側面がスリ面であることによってゴーストなどの悪影響が抑えられる。側面のスリ面は、加工の容易さから＃３００以下であることが好ましい。これら４つのレンズ１１１，１１２，１１３，１１４が、本発明にいう複数のレンズの一例に相当するものである。
【００３５】
３つの間隔環１２１，１２２，１２３は、４つのレンズ１１１，１１２，１１３，１１４における隣接するレンズ間に配置されている。すなわち、第１レンズ１１１と第２レンズ１１２との間に第１間隔環１２１が配置され、第２レンズ１１２と第３レンズ１１３との間に第２間隔環１２２が配置され、第３レンズ１１３と第４レンズ１１４との間に第３間隔環１２３が配置されている。これら３つの間隔環１２１，１２２，１２３のそれぞれが、本発明にいう間隔環の一例に相当するものである。
【００３６】
レンズ枠１３０は、４つのレンズ１１１，１１２，１１３，１１４の硬度よりも高い硬度を有する多孔質のセラミック製部材である。レンズ枠１３０は、光軸方向である矢印Ａ方向両端に開口し、４つのレンズ１１１，１１２，１１３，１１４および３つの間隔環１２１，１２２，１２３を収容する中空が形成され、内面１３１と、外面１３２とを有する。また、レンズ枠１３０には、内面１３１と外面１３２とに貫通して光軸方向である矢印Ａ方向に延びた溝１３４が形成されている。さらに、レンズ枠１３０は、内面１３１の溝１３４に連続した位置に形成され光軸方向に延びた凹部１３６，１３７を有している。凹部１３６，１３７は、光軸回りの周回方向Ｂについて溝１３４を挟んで両側に形成されている。凹部１３６，１３７は、周回方向Ｂに溝１３４と合わせて半周以上を占めている。内面１３１のうち、溝１３４の反対側にて凹部１３６，１３７に挟まれた部分は、４つのレンズ１１１，１１２，１１３，１１４と接し、レンズ枠１３０内におけるレンズ１１１，１１２，１１３，１１４を支持して位置決めする支持部１３１１となっている。支持部１３１１は、内面１３１のうち、周回方向Ｂについて半周未満を占めている。また、支持部１３１１は、図２に示すように、被写体側から結像側に向かって小径となる４つのレンズ１１１，１１２，１１３，１１４の外径に合わせた形状に形成されている。ただし、支持部１３１１は、一部に凹部が設けられた形状とすることも可能である。また、レンズ枠１３０は、４つのレンズ１１１，１１２，１１３，１１４のうちの最結像側に配備される第１レンズ１１１の結像側の面の周縁部分１１１１を押さえる結像側レンズ押さえ部１３３を有する。ここで、レンズ枠１３０が、本発明にいうレンズ枠の一例に相当するものである。尚、すでに説明した間隔環１２１，１２２，１２３には、レンズ枠１３０と同様にセラミック製の部材が採用可能であり、また、樹脂やガラスも採用可能である。
【００３７】
押当部材１４０は、例えばレンズ枠１３０と同じ材質であるセラミック製部材である。また、この押当部材１４０は、レンズ枠１３０に形成された溝１３４内に入り込んで、レンズ枠１３０内に収容された４つのレンズ１１１，１１２，１１３，１１４および３つの間隔環１２１，１２２，１２３を、レンズ枠１３０の内面１３１の支持部１３１１に押し当てた状態で、セラミック接着剤によってレンズ枠１３０に接着固定されている。この押当部材１４０が、本発明にいう押当部材の一例に相当するものである。
【００３８】
押さえ環１５０は、例えばレンズ枠１３０と同じ材質であるセラミック製部材であり、概略筒状であり、一方の開口端は筒の中央に向かって張り出した形状を有している。また、この押さえ環１５０は、レンズ枠１３０に支持されている。より詳細には、押さえ環１５０はレンズ枠１３０の被写体側の端に被さり、レンズ枠１３０に固定されている。尚、押さえ環１５０のレンズ枠１３０への固定は、接着固定であってもよく、あるいは、押さえ環１５０の内周およびレンズ枠１３０の外面１３２にねじ山を設けてなるねじ止め固定であってもよい。また、この押さえ環１５０は、レンズ枠１３０内に収容された４つのレンズ１１１，１１２，１１３，１１４のうちの最被写体側に配備される第４レンズ１１４の被写体側の面の周縁部分１１４１を押さえている。つまり、４つのレンズ１１１，１１２，１１３，１１４および３つの間隔環１２１，１２２，１２３は、レンズ枠１３０の結像側レンズ押さえ部１３３と押さえ環１５０との間に挟み付けられている。
【００３９】
このように構成されたレンズ鏡胴１００では、レンズ枠１３０内に収容された４つのレンズ１１１，１１２，１１３，１１４の、光軸方向である矢印Ａ方向の位置が、結像側レンズ押さえ部１３３、３つの間隔環１２１，１２２，１２３、および押さえ環１５０によって決められた上で、押当部材１４０がレンズ枠１３０に接着固定されている。
【００４０】
ここで、レンズ１１１，１１２，１１３，１１４、レンズ枠１３０、および、押さえ環１５０の硬度についてより詳細に説明する。レンズ１１１，１１２，１１３，１１４はガラス製であり、硬度はＨＶ３００以上８００以下である。また、レンズ枠１３０および押さえ環１５０はセラミック製であり、硬度はＨＶ２６００以下である。レンズ枠１３０および押さえ環１５０の硬度は耐衝撃性の観点からＨＶ５００以上２６００以下であることが好ましい。尚、ここでは、ビッカース硬度（ＨＶ）の数値によって硬度を表しているが、この数値は、ヌープ硬さ（Ｈｋ）であってもほぼ同等である。
【００４１】
このように構成されたレンズ鏡胴１００において、４つのレンズ１１１，１１２，１１３，１１４それぞれの外径と、レンズ枠１３０の内面１３１の支持部１３１１との間は、レンズの軸ズレなどによる光学性能の低下を起さないよう、レンズ鏡胴１００の組立完了状態で、２０μｍ以下のクリアランス、好ましくは１０μｍ以下のクリアランスとなるように公差管理されている。
【００４２】
第１実施形態のレンズ鏡胴１００は、光軸方向である矢印Ａ方向両端に開口し、４つのレンズ１１１，１１２，１１３，１１４および３つの間隔環１２１，１２２，１２３を収容する中空が形成されたレンズ枠１３０が、内面１３１と外面１３２とに貫通して光軸方向である矢印Ａ方向に延びた溝１３４が形成されたものであり、その溝１３４内に、レンズ枠１３０内に収容された４つのレンズ１１１，１１２，１１３，１１４および３つの間隔環１２１，１２２，１２３を内面１３１に押し当てる押当部材１４０が入り込んでいる。従って、第１実施形態のレンズ鏡胴１００によれば、このレンズ鏡胴１００の組み立て時において、４つのレンズ１１１，１１２，１１３，１１４および３つの間隔環１２１，１２２，１２３をその溝１３４寄りに偏芯させながらレンズ枠１３０内に収容させることができ、その溝１３４を利用して、４つのレンズ１１１，１１２，１１３，１１４および３つの間隔環１２１，１２２，１２３が内面１３１の支持部１３１１に接した状態でそれら４つのレンズ１１１，１１２，１１３，１１４および３つの間隔環１２１，１２２，１２３をレンズ枠１３０に固定することができる。すなわち、押当部材１４０により、４つのレンズ１１１，１１２，１１３，１１４および３つの間隔環１２１，１２２，１２３が内面１３１に接した状態でそれら４つのレンズ１１１，１１２，１１３，１１４および３つの間隔環１２１，１２２，１２３をレンズ枠１３０に接着固定することができる。よって、第１実施形態のレンズ鏡胴１００によれば、レンズ枠１３０内に４つのレンズ１１１，１１２，１１３，１１４および３つの間隔環１２１，１２２，１２３を収容させるときに、両者が擦れて削れカスが発生することが回避される。このため、削れカスに起因して光学性能が悪化することが防止される。さらに、第１実施形態のレンズ鏡胴１００によれば、押当部材１４０によって、遮光性および防塵性が確保される。尚、レンズ鏡胴１００の組立方法については後述する。
【００４３】
以上で、本発明のレンズ鏡胴の第１実施形態の説明を終了し、本発明のレンズ鏡胴の第２実施形態について説明する。
【００４４】
尚、以下説明する第２実施形態は、上述した第１実施形態における押当部材１４０を、この押当部材１４０とは異なる覆い部材２４０に置き換えたものである。
【００４５】
以下、第１実施形態における要素と同じ要素については同じ符号を付して説明を省略し、第１実施形態との相違点についてのみ説明する。
【００４６】
図４は、本発明のレンズ鏡胴の第２実施形態であるレンズ鏡胴２００を被写体側斜め上から見て示した斜視図である。
【００４７】
図４に示すように、第２実施形態のレンズ鏡胴２００は、４つのレンズ１１１，１１２，１１３，１１４と、３つの間隔環１２１，１２２，１２３と、レンズ枠１３０と、覆い部材２４０と、押さえ環１５０とを備えている。
【００４８】
覆い部材２４０は、レンズ枠１３０に形成された溝１３４を覆うものである。この覆い部材２４０が、本発明にいう覆い部材の一例に相当するものである。
【００４９】
また、レンズ鏡胴２００では、レンズ枠１３０内に収容された４つのレンズ１１１，１１２，１１３，１１４および３つの間隔環１２１，１２２，１２３が、レンズ枠１３０の内面１３１に接した状態で、溝１３４内に塗布された接着剤４００によってレンズ枠１３０に接着固定されている。
【００５０】
第２実施形態のレンズ鏡胴２００によれば、第１実施形態のレンズ鏡胴１００と同様に、このレンズ鏡胴２００の組み立て時において、４つのレンズ１１１，１１２，１１３，１１４および３つの間隔環１２１，１２２，１２３を溝１３４寄りに偏芯させながらレンズ枠１３０内に収容させることができる。また、その溝１３４を利用して、４つのレンズ１１１，１１２，１１３，１１４および３つの間隔環１２１，１２２，１２３が内面１３１の支持部１３１１（図３参照）に接した状態でそれら４つのレンズ１１１，１１２，１１３，１１４および３つの間隔環１２１，１２２，１２３をレンズ枠１３０に接着固定することができる。これは、このレンズ鏡胴２００の組み立て時において、例えば、第１実施形態のレンズ鏡胴１００に用いられた押当部材１４０を用いて、４つのレンズ１１１，１１２，１１３，１１４および３つの間隔環１２１，１２２，１２３を内面１３１の支持部１３１１（図３参照）に押し当て、押し当てられた状態の４つのレンズ１１１，１１２，１１３，１１４および３つの間隔環１２１，１２２，１２３を、溝１３４内に塗布された接着剤４００によってレンズ枠１３０に接着固定し、押当部材１４０を溝１３４内から取り外すことによって実現される。尚、このようにして用いる押当部材１４０は治具として使い回すことができる。従って、第２実施形態のレンズ鏡胴２００によれば、レンズ枠１３０内に４つのレンズ１１１，１１２，１１３，１１４および３つの間隔環１２１，１２２，１２３を収容させるときに、両者が擦れて削れカスが発生することが回避される。このため、削れカスに起因して光学性能が悪化することが防止される。さらに、第２実施形態のレンズ鏡胴２００によれば、覆い部材２４０によって、遮光性および防塵性が確保される。尚、レンズ鏡胴２００の組立方法については後述する。
【００５１】
以上で、本発明のレンズ鏡胴の第２実施形態の説明を終了し、本発明のレンズ鏡胴の第３実施形態について説明する。
【００５２】
尚、以下説明する第３実施形態は、レンズ枠が上述した第２実施形態とは異なる。
【００５３】
以下、第２実施形態における要素と同じ要素については同じ符号を付して説明を省略し、第２実施形態との相違点についてのみ説明する。
【００５４】
図５は、本発明のレンズ鏡胴の第３実施形態であるレンズ鏡胴３００を被写体側斜め上から見て示した斜視図である。
【００５５】
図５に示すように、第３実施形態のレンズ鏡胴３００は、４つのレンズ１１１，１１２，１１３，１１４と、３つの間隔環１２１，１２２，１２３と、レンズ枠３３０と、覆い部材２４０と、押さえ環１５０とを備えている。
【００５６】
レンズ枠３３０には、溝１３４に加え、内面１３１と外面１３２とに貫通して光軸方向である矢印Ａ方向に延びた溝３３６が形成されている。このレンズ枠３３０が、本発明にいうレンズ枠の一例に相当するものである。
【００５７】
また、レンズ鏡胴３００では、第２実施形態における溝１３４内に塗布された接着剤４００に換えて、レンズ枠１３０内に収容された４つのレンズ１１１，１１２，１１３，１１４および３つの間隔環１２１，１２２，１２３が、レンズ枠１３０の内面１３１の支持部１３１１（図３参照）に接した状態で、溝３３６内に塗布された接着剤４００によってレンズ枠１３０に接着固定されている。
【００５８】
このように構成されたレンズ鏡胴３００では、レンズ枠３３０内に収容された４つのレンズ１１１，１１２，１１３，１１４の、光軸方向である矢印Ａ方向の位置が、結像側レンズ押さえ部１３３（図示省略）、３つの間隔環１２１，１２２，１２３、および押さえ環１５０によって決められた上で、４つのレンズ１１１，１１２，１１３，１１４および３つの間隔環１２１，１２２，１２３がレンズ枠３３０に接着固定されている。
【００５９】
また、このように構成されたレンズ鏡胴３００において、４つのレンズ１１１，１１２，１１３，１１４それぞれの外径とレンズ枠３３０の内面１３１との間は、レンズの軸ズレなどによる光学性能の低下を起さないよう、レンズ鏡胴３００の組立完了状態で、２０μｍ以下のクリアランス、好ましくは１０μｍ以下のクリアランスとなるように公差管理されている。
【００６０】
第３実施形態のレンズ鏡胴３００によれば、第２実施形態のレンズ鏡胴２００と同様に、このレンズ鏡胴３００の組み立て時において、４つのレンズ１１１，１１２，１１３，１１４および３つの間隔環１２１，１２２，１２３を溝１３４寄りに偏芯させながらレンズ枠３３０内に収容させることができる。また、その溝１３４を利用して、４つのレンズ１１１，１１２，１１３，１１４および３つの間隔環１２１，１２２，１２３が内面１３１の支持部１３１１（図３参照）に接した状態でそれら４つのレンズ１１１，１１２，１１３，１１４および３つの間隔環１２１，１２２，１２３をレンズ枠３３０に接着固定することができる。これは、このレンズ鏡胴２００の組み立て時において、例えば、第１実施形態のレンズ鏡胴１００に用いられた押当部材１４０を用いて、４つのレンズ１１１，１１２，１１３，１１４および３つの間隔環１２１，１２２，１２３を内面１３１の支持部１３１１（図３参照）に押し当て、押し当てられた状態の４つのレンズ１１１，１１２，１１３，１１４および３つの間隔環１２１，１２２，１２３を、第２実施形態における溝１３４内に塗布された接着剤４００に換えて、溝３３６内に塗布された接着剤４００によってレンズ枠３３０に接着固定し、押当部材１４０を溝１３４内から取り外すことによって実現される。尚、このようにして用いる押当部材１４０は治具として使い回すことができる。従って、第３実施形態のレンズ鏡胴３００によれば、レンズ枠３３０内に４つのレンズ１１１，１１２，１１３，１１４および３つの間隔環１２１，１２２，１２３を収容させるときに、両者が擦れて削れカスが発生することが回避される。このため、削れカスに起因して光学性能が悪化することが防止される。さらに、第３実施形態のレンズ鏡胴３００によれば、覆い部材２４０によって、遮光性および防塵性が確保される。尚、レンズ鏡胴３００の組立方法については後述する。
【００６１】
以上で、本発明のレンズ鏡胴の第３実施形態の説明を終了し、本発明のレンズ鏡胴組立方法の第１実施形態について説明する。
【００６２】
以下説明する第１実施形態は、図１〜図３を参照して説明したレンズ鏡胴１００の組立方法である。
【００６３】
以下、そのレンズ鏡胴１００の構成要素それぞれについては同じ符号を付して説明を省略し、レンズ鏡胴１００（図１〜図３参照）の組立方法についてのみ説明する。
【００６４】
図６は、レンズ枠１３０内に、４つのレンズ１１１，１１２，１１３，１１４および３つの間隔環１２１，１２２，１２３を収容させる工程を示す説明図である。
【００６５】
まず、レンズ枠１３０内に、４つのレンズ１１１，１１２，１１３，１１４および３つの間隔環１２１，１２２，１２３を溝１３４寄りに偏芯させながら収容させる。内面１３１の溝１３４に連続した位置には凹部１３６，１３７が形成されており、凹部１３６，１３７は、周回方向Ｂに溝１３４と合わせて半周以上を占めている。このため、レンズ１１１，１１２，１１３，１１４および３つの間隔環１２１，１２２，１２３を、凹部１３６，１３７に入り込ませて溝１３４寄りに偏芯させ、支持部１３１１から離れた状態で移動させることが可能である。
【００６６】
次に、レンズ枠１３０内に収容させた４つのレンズ１１１，１１２，１１３，１１４および３つの間隔環１２１，１２２，１２３を、溝１３４内に入り込む押当部材１４０（図３参照）で、レンズ枠１３０の内面１３１の支持部１３１１に押し当てる。これによって、４つのレンズ１１１，１１２，１１３，１１４が位置決めされる。
【００６７】
次に、押当部材１４０で４つのレンズ１１１，１１２，１１３，１１４および３つの間隔環１２１，１２２，１２３をレンズ枠１３０の内面１３１の支持部１３１１に押し当てた状態のまま、セラミック接着剤によって押当部材１４０をレンズ枠１３０に接着固定する。
【００６８】
最後に、押さえ環１５０をレンズ枠１３０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠１３０の結像側レンズ押さえ部１３３と押さえ環１５０との間に挟み付けられ、レンズ枠１３０内で固定される。
【００６９】
第１実施形態のレンズ鏡胴組立方法は、４つのレンズ１１１，１１２，１１３，１１４および３つの間隔環１２１，１２２，１２３を溝１３４寄りに偏芯させながらレンズ枠１３０内に収容させる組立方法である。従って、第１実施形態のレンズ鏡胴組立方法によれば、レンズ枠１３０内に４つのレンズ１１１，１１２，１１３，１１４および３つの間隔環１２１，１２２，１２３を収容させるときに、両者が擦れて削れカスが発生することが回避される。このため、組み立てられたレンズ鏡胴１００において、削れカスに起因して光学性能が悪化することが防止される。
【００７０】
また、第１実施形態のレンズ鏡胴組立方法によれば、押当部材１４０により、４つのレンズ１１１，１１２，１１３，１１４および３つの間隔環１２１，１２２，１２３がレンズ枠１３０の内面１３１の支持部１３１１に接した状態で、４つのレンズ１１１，１１２，１１３，１１４および３つの間隔環１２１，１２２，１２３をレンズ枠１３０に接着固定することができる。また、その押当部材１４０により、遮光性および防塵性が確保される。
【００７１】
以上で、本発明のレンズ鏡胴組立方法の第１実施形態の説明を終了し、本発明のレンズ鏡胴組立方法の第２実施形態について説明する。
【００７２】
以下説明する第２実施形態は、図４を参照して説明したレンズ鏡胴２００の組立方法である。
【００７３】
以下、そのレンズ鏡胴２００の構成要素それぞれについては同じ符号を付して説明を省略し、レンズ鏡胴２００（図４参照）の組立方法についてのみ説明する。
【００７４】
尚、この組立方法で用いる押当部材４４０は、上述した第１実施形態のレンズ鏡胴組立方法で用いる押当部材１４０よりも幅細のものである。
【００７５】
図７は、押当部材４４０によりレンズ枠１３０の内面に押し当てられた状態の４つのレンズ１１１，１１２，１１３，１１４および３つの間隔環１２１，１２２，１２３をレンズ枠１３０に接着固定する工程を示す説明図である。また、図８は、図７に示す押当部材４４０を溝１３４内から取り外した後の状態を示す斜視図である。
【００７６】
まず、レンズ枠１３０内に、４つのレンズ１１１，１１２，１１３，１１４および３つの間隔環１２１，１２２，１２３を溝１３４寄りに偏芯させながら収容させる。
【００７７】
次に、レンズ枠１３０内に収容させた４つのレンズ１１１，１１２，１１３，１１４および３つの間隔環１２１，１２２，１２３を、溝１３４内に入り込む押当部材４４０で、レンズ枠１３０の内面１３１の支持部１３１１に押し当てる。
【００７８】
次に、押当部材４４０によりレンズ枠１３０の内面１３１の支持部１３１１に押し当てられた状態の４つのレンズ１１１，１１２，１１３，１１４および３つの間隔環１２１，１２２，１２３を、溝１３４内に接着剤４００を塗布することによってレンズ枠１３０に接着固定する。
【００７９】
次に、押当部材４４０を溝１３４内から取り外す。
【００８０】
次に、溝１３４を覆い部材２４０で覆う。
【００８１】
最後に、押さえ環１５０をレンズ枠１３０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠１３０の結像側レンズ押さえ部１３３と押さえ環１５０との間に挟み付けられ、レンズ枠１３０内で固定される。
【００８２】
第２実施形態のレンズ鏡胴組立方法は、第１実施形態のレンズ鏡胴組立方法と同様に、４つのレンズ１１１，１１２，１１３，１１４および３つの間隔環１２１，１２２，１２３を溝１３４寄りに偏芯させながらレンズ枠１３０内に収容させる組立方法である。従って、第２実施形態のレンズ鏡胴組立方法によっても、レンズ枠１３０内に４つのレンズ１１１，１１２，１１３，１１４および３つの間隔環１２１，１２２，１２３を収容させるときに、両者が擦れて削れカスが発生することが回避される。このため、組み立てられたレンズ鏡胴２００において、削れカスに起因して光学性能が悪化することが防止される。
【００８３】
また、第２実施形態のレンズ鏡胴組立方法は、押当部材４４０を溝１３４内から取り外す組立方法であるため、押当部材４４０は治具として使い回すことができる。
【００８４】
また、第２実施形態のレンズ鏡胴組立方法によれば、覆い部材２４０により、遮光性および防塵性が確保される。
【００８５】
以上で、本発明のレンズ鏡胴組立方法の第２実施形態の説明を終了し、本発明のレンズ鏡胴組立方法の第３実施形態について説明する。
【００８６】
以下説明する第３実施形態は、図５を参照して説明したレンズ鏡胴３００の組立方法である。
【００８７】
以下、そのレンズ鏡胴３００の構成要素それぞれについては同じ符号を付して説明を省略し、レンズ鏡胴３００（図５参照）の組立方法についてのみ説明する。
【００８８】
尚、この組立方法で用いる押当部材４４０は、上述した第１実施形態のレンズ鏡胴組立方法で用いる押当部材１４０よりも幅細のものである。
【００８９】
図９は、レンズ枠３３０内に収容させた４つのレンズ１１１，１１２，１１３，１１４および３つの間隔環１２１，１２２，１２３を、溝１３４内に入り込む押当部材４４０で、レンズ枠３３０の内面に押し当てる工程を示す説明図である。また、図１０は、押当部材４４０によりレンズ枠３３０の内面に押し当てられた状態の４つのレンズ１１１，１１２，１１３，１１４および３つの間隔環１２１，１２２，１２３をレンズ枠１３０に接着固定する工程を示す説明図である。
【００９０】
まず、レンズ枠３３０内に、４つのレンズ１１１，１１２，１１３，１１４および３つの間隔環１２１，１２２，１２３を溝１３４寄りに偏芯させながら収容させる。
【００９１】
次に、レンズ枠３３０内に収容させた４つのレンズ１１１，１１２，１１３，１１４および３つの間隔環１２１，１２２，１２３を、溝１３４内に入り込む押当部材４４０で、レンズ枠３３０の内面１３１の支持部１３１１に押し当てる。
【００９２】
次に、押当部材４４０によりレンズ枠３３０の内面１３１の支持部１３１１に押し当てられた状態の４つのレンズ１１１，１１２，１１３，１１４および３つの間隔環１２１，１２２，１２３を、第２実施形態における溝１３４内に塗布された接着剤４００に換えて、溝３３６内に接着剤４００を塗布することによってレンズ枠１３０に接着固定する。
【００９３】
次に、押当部材４４０を溝１３４内から取り外す。
【００９４】
次に、溝１３４を覆い部材２４０で覆う。
【００９５】
最後に、押さえ環１５０をレンズ枠３３０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠３３０の結像側レンズ押さえ部１３３と押さえ環１５０との間に挟み付けられ、レンズ枠３３０内で固定される。尚、このレンズ鏡胴組立において、溝３３６も覆い部材３４０で覆うことが好ましい。図１１は、溝３３６が覆い部材３４０で覆われた状態を示す斜視図である。
【００９６】
第３実施形態のレンズ鏡胴組立方法は、第１実施形態のレンズ鏡胴組立方法や第２実施形態のレンズ鏡胴組立方法と同様に、４つのレンズ１１１，１１２，１１３，１１４および３つの間隔環１２１，１２２，１２３を溝１３４寄りに偏芯させながらレンズ枠３３０内に収容させる組立方法である。従って、第３実施形態のレンズ鏡胴組立方法によっても、レンズ枠３３０内に４つのレンズ１１１，１１２，１１３，１１４および３つの間隔環１２１，１２２，１２３を収容させるときに、両者が擦れて削れカスが発生することが回避される。このため、組み立てられたレンズ鏡胴３００において、削れカスに起因して光学性能が悪化することが防止される。
【００９７】
また、第３実施形態のレンズ鏡胴組立方法は、第２実施形態のレンズ鏡胴組立方法と同様に、押当部材４４０を溝１３４内から取り外す組立方法であるため、押当部材４４０は治具として使い回すことができる。
【００９８】
また、第３実施形態のレンズ鏡胴組立方法によれば、第２実施形態のレンズ鏡胴組立方法と同様に、覆い部材２４０により、遮光性および防塵性が確保される。
【００９９】
以上で、本発明のレンズ鏡胴組立方法の第３実施形態の説明を終了する。
【０１００】
尚、上述した実施形態では、本発明にいう複数のレンズが、４つのレンズである例を挙げて説明したが、本発明にいう複数のレンズは、これに限られるものではない。
【０１０１】
また、上述した実施形態では、本発明にいう押当部材が、レンズ枠と同じ材質であるセラミック製部材である例を挙げて説明したが、本発明にいう押当部材は、これに限られるものではなく、例えば、金属製部材や樹脂製部材などであってもよい。
【０１０２】
また、上述した実施形態では、光軸方向両端の一方を被写体側、他方を結像側として説明したが、本発明のレンズ鏡胴は、結像側および被写体側について実施形態とは向きが逆の構造であってもよい。
【符号の説明】
【０１０３】
１００，２００，３００    レンズ鏡胴
１１１    第１レンズ
１１１１    周縁部分
１１２    第２レンズ
１１３    第３レンズ
１１４    第４レンズ
１１４１    周縁部分
１２１    第１間隔環
１２２    第２間隔環
１２３    第３間隔環
１３０，３３０    レンズ枠
１３１    内面
１３１１    支持部
１３２    外面
１３３    結像側レンズ押さえ部
１３４，３３６    溝
１３６，１３７    凹部
１４０，４４０    押当部材
２４０    覆い部材
１５０    押さえ環
４００    接着剤
【図１】
2012002945.tif 000003
【図２】
2012002945.tif 000004
【図３】
2012002945.tif 000005
【図４】
2012002945.tif 000006
【図５】
2012002945.tif 000007
【図６】
2012002945.tif 000008
【図７】
2012002945.tif 000009
【図８】
2012002945.tif 000010
【図９】
2012002945.tif 000011
【図１０】
2012002945.tif 000012
【図１１】
2012002945.tif 000013